(57)【要約】【課題】車載機器の操作を行う際の操作性が良い車載機器システム及びナビゲーション装置、オーディオ装置、携帯情報端末装置を提供する【解決手段】ナビゲーション装置に携帯情報端末装置ＰＤＡを用いてナビゲーション装置を制御するためのプログラムを記憶しておき、携帯情報端末装置ＰＤＡが接続されるとナビゲーション装置側でプログラムを読み出し、読み出したプログラムを携帯情報端末装置ＰＤＡへ送信し、送信したプログラムを携帯情報端末装置ＰＤＡが記憶し、ナビゲーション装置の制御を行うためのメニュー画面を携帯情報端末装置ＰＤＡの表示画面ＰＳＣに表示し、表示したメニュー画面より「行き先を決める」を選択すると（ｂ）のように名称を入力する画面になるので目的地を入力し検索を選択するとナビゲーション装置に指示が送信され、指示された目的地を検索し、ナビゲーション装置の表示装置２８の表示画面ＮＳＣに表示され、目的地を決定する。【選択図】　　図１
2004077324.tif 000002
【特許請求の範囲】
【請求項１】
携帯情報端末装置と、該携帯情報端末装置と通信を行うことが可能な車載機器とを搭載する車載機器システムにおいて、
車載機器は、携帯情報端末装置を用いて車載機器を制御するためのプログラムを記憶する車載機器側記憶部と、
該車載機器側記憶部より前記プログラムの読み出しを行う車載機器側読み出し部と、
読み出した前記プログラムの携帯情報端末装置への送信と携帯情報端末装置からの指示の受信を行なう車載機器側送受信部と、
携帯情報端末装置は、車載機器への指示を行う携帯情報端末装置側操作部と、
該車載機器側送受信部より受信した指示に応じて車載機器の制御を行う車載機器側制御部と、を備え、
送信された前記プログラムの受信と車載機器への指示の送信を行なう携帯情報端末装置側送受信部と、
受信した前記プログラムを記憶する携帯情報端末装置側記憶部と、
記憶した前記プログラムの実行を制御する携帯情報端末装置側制御部と、
実行する前記プログラムに対応する画面の表示を行う携帯情報端末装置側表示部と、
を備えたことを特徴とする車載機器システム。
【請求項２】
前記車載機器がナビゲーション装置であることを特徴とする請求項１記載の車載機器システム。
【請求項３】
前記車載機器がオーディオ装置であることを特徴とする請求項１記載の車載機器システム。
【請求項４】
携帯情報端末装置と接続可能なナビゲーション装置において、
携帯情報端末装置を用いてナビゲーション装置を制御するためのプログラムを記憶する記憶部と、
該記憶部より前記プログラムの読み出しを行う読み出し部と、
該読み出し部により読み出したプログラムを携帯情報端末装置へ送信し、携帯情報端末装置からの指示を受信する送受信部と、
携帯情報端末装置側操作部より指示された操作を該送受信部より受信し、制御を行う制御部と、
を備えたことを特徴とするナビゲーション装置。
【請求項５】
携帯情報端末装置と接続可能なオーディオ装置において、
携帯情報端末装置を用いてオーディオ装置を制御するためのプログラムを記憶する記憶部と、
該記憶部より前記プログラムの読み出しを行う読み出し部と、
該読み出し部により読み出したプログラムの携帯情報端末装置へ送信し、携帯情報端末装置からの指示を受信する送受信部と、
携帯情報端末装置側操作部より指示された操作を該送受信部より受信し、制御を行う制御部と
を備えたことを特徴とするオーディオ装置。
【請求項６】
ナビゲーション装置と接続可能な携帯情報端末装置において、
ナビゲーション装置より送信されたプログラムを受信し、ナビゲーション装置への指示を送信するための送受信部と、
該送受信部で受信したプログラムを記憶する記憶部と、
該記憶部に記憶したプログラムの実行を制御する制御部と、
該制御部により実行するプログラムに対応する画面の表示を行う表示部と、
ナビゲーション装置への指示を行う操作部と、
を備えたことを特徴とする携帯情報端末装置。
【請求項７】
オーデイオ装置と接続可能な携帯情報端末装置において、
オーディオ装置より送信されたプログラムの受信とオーディオ装置への指示を送信するための送受信部と、
該送受信部で受信したプログラムを記憶する記憶部と、
該記憶部に記憶したプログラムの実行を制御する制御部と、
該制御部により実行するプログラムに対応する画面の表示を行う表示部と、
オーディオ装置への指示を行う操作部と、
を備えたことを特徴とする携帯情報端末装置。
【発明の詳細な説明】
【０００１】
【発明の属する技術分野】
本発明は、携帯情報端末装置と、該携帯情報端末装置と通信を行うことが可能な車載機器とを搭載する車載機器システムに係り、特に携帯情報端末装置の指示により車載機器を制御する車載機器システム、ナビゲーション装置、オーディオ装置、携帯情報端末装置に関する。
【０００２】
【従来の技術】
車載機器の操作、例えばナビゲーション装置においては、図１４に示したように、目的地の設定や各種の初期設定をする際には表示装置２８の表示画面ＮＳＣに現在表示している地図画面（ａ）から、メニュー画面（ｂ）に切替えてから各種操作を行うようになっている。
【０００３】
又、ラジオの受信やＣＤ、ＭＤの再生を行うオーディオ装置においても、ソースの切替えや選曲の操作は図１５に示すようにオーディオ装置ＨＵの操作部７０の各種キーを用いて操作を行い、表示部７１に現在再生を行っているソースの情報や設定画面を表示するようになっている。
【０００４】
一方、スケジュールやアドレスの管理、メモ等が行える携帯情報端末装置（ＰＤＡ）が普及してきている。ＰＤＡにはスケジュールやアドレスの管理を行うプログラムを記憶しておくＲＯＭやユーザーが好みのプログラムやメモ、各種の情報を記憶させるＲＡＭ、表示兼操作を行うタッチパネルが搭載されており、各種操作をタッチパネルを用いて行っている。
【０００５】
【発明が解決しようとする課題】
しかしながら、これらの車載機器、例えばナビゲーション装置では操作を行うために地図画面から一旦メニュー画面にしてから操作を行うので地図画面を確認しながら操作を行うには不便であり、又、オーディオ装置では操作を行うのに小さなキーを用いねばならず不便であった。
【０００６】
以上から、本発明の目的は車載機器の操作を行う際の操作性を向上させた車載機器システム、ナビゲーション装置、オーディオ装置及び携帯情報端末装置を提供することである。
【０００７】
【課題を解決するための手段】
上記課題は、本発明によれば、携帯情報端末装置を用いて車載機器を制御するためのプログラムを記憶する車載機器側に記憶しておき、携帯情報端末装置が接続されると、車載機器側でプログラムを読み出し、読み出したプログラムを携帯情報端末装置へ送信し、送信されたプログラムを携帯情報端末装置が受信し、受信したプログラムを携帯情報端末装置側で記憶し、記憶したプログラムを用いて車載機器を制御するので操作性が良くなる。
【０００８】
又、上記課題は、本発明によれば、携帯情報端末装置を用いてナビゲーション装置を制御するためのプログラムを記憶しておき、携帯情報端末装置が接続されるとナビゲーション装置側でプログラムを読み出し、読み出したプログラムを携帯情報端末装置へ送信し、携帯情報端末装置に送信したプログラムを用いた携帯情報端末装置からの指示を受信すると指示された操作を受信しナビゲーション装置の制御を行うので操作性が良くなる。
【０００９】
又、上記課題は、本発明によれば、携帯情報端末装置を用いてオーディオ装置を制御するためのプログラムを記憶しておき、携帯情報端末装置が接続されるとオーデイオ装置側でプログラムを読み出し、読み出したプログラムを携帯情報端末装置へ送信し、携帯情報端末装置に送信したプログラムを用いた携帯情報端末装置からの指示を受信すると指示された操作を受信しオーディオ装置の制御を行うので操作性が良くなる。
【００１０】
【発明の実施の形態】
（Ａ）本発明の第１の概略説明
図１は本発明の第１の概略説明図であり、ユーザーが携帯情報端末装置を用いてナビゲーション装置の目的地を設定する場合である。図中２８はナビゲーション装置の表示装置、ＮＳＣは表示装置２８の表示画面、ＰＤＡは携帯情報端末装置、ＰＳＣは携帯情報端末装置の表示画面でありタッチパネルである。
【００１１】
まず、ナビゲーション装置に携帯情報端末装置を用いてナビゲーション装置を制御するためのプログラムを記憶しておく。そして、携帯情報端末装置ＰＤＡが接続されるとナビゲーション装置側でプログラムを読み出し、読み出したプログラムを携帯情報端末装置ＰＤＡへ送信する。次に、携帯情報端末装置ＰＤＡに送信したプログラムを携帯情報端末装置ＰＤＡが記憶し、図１（ａ）のようにナビゲーション装置の制御を行うためのメニュー画面を携帯情報端末装置ＰＤＡの表示画面ＰＳＣに表示する。ついで、表示画面ＰＳＣに表示されたメニュー画面より「行き先を決める」を選択すると図１（ｂ）のように名称を入力する画面になる。そこで目的地を入力し検索を選択するとナビゲーション装置に指示が送信され、指示された目的地を検索し、ナビゲーション装置の表示装置２８の表示画面ＮＳＣに表示され、目的地を決定することができる。
【００１２】
（Ｂ）本発明の第２の概略説明
図２は本発明の第２の概略説明図であり、ユーザーが携帯情報端末装置を用いてオーディオ装置の所望の曲を早送りによって選曲する場合である。図中ＨＵはオーディオ装置本体、７０はオーディオ装置ＨＵの操作部、７１はオーディオ装置ＨＵの表示部、ＰＤＡは携帯情報端末装置、ＰＳＣは携帯情報端末装置の表示画面でありタッチパネルである。
【００１３】
まず、図２（ａ）に示すようなオーディオ装置ＨＵに携帯情報端末装置を用いてオーディオ装置ＨＵを制御するためのプログラムを記憶しておく。そして、携帯情報端末装置ＰＤＡが接続されるとオーディオ装置ＨＵはプログラムを読み出し、読み出したプログラムを携帯情報端末装置ＰＤＡへ送信する。次に、携帯情報端末装置ＰＤＡに送信したプログラムを携帯情報端末装置ＰＤＡが記憶し、図２（ｂ）のようにオーディオ装置ＨＵの制御を行うためのメニュー画面を携帯情報端末装置ＰＤＡの表示画面ＰＳＣに表示する。ついで、表示画面ＰＳＣに表示されたメニュー画面より「早送り」を選択すると図１（ａ）のオーディオ装置ＨＵに指示が送信され、早送りを行なうことができる。
【００１４】
（Ｃ）本発明の第１実施例
（ａ）ナビゲーション装置
図３は本発明の車載機器システム中のナビゲーション装置の構成図である。図中、１１は地図情報を記憶する地図記憶媒体で、例えばＤＶＤ−ＲＯＭ、１１ａは施設情報データベースであり、ＤＶＤ−ＲＯＭ１１に記憶されている施設の位置、住所、電話番号等を記憶する。１２はＤＶＤ−ＲＯＭからの地図情報やサービス情報を読み取るＤＶＤ−ＲＯＭ制御部、１３は車両現在位置を測定する位置測定装置であり、移動距離を検出する車速センサー、移動方位を検出する角速度センサー、自車位置の検出や現在時刻を取得するＧＰＳレシーバ、位置計算用ＣＰＵ等で構成されている。１４は、ＤＶＤ−ＲＯＭから読み出した地図情報を記憶する地図情報メモリ、１５は通常のメニュー選択操作、拡大／縮小操作、目的地設定等を行うリモコン、１６はリモコンインターフェースである。
【００１５】
１７はナビゲーション装置全体を制御するプロセッサ（ＣＰＵ）、１８は各種プログラム（目的地検索プログラム、誘導経路探索処理プログラム等）を記憶するＲＯＭであり携帯情報端末装置からナビゲーション装置を操作するための操作プログラム、操作プログラムを携帯情報端末装置へ送信するための送信プログラムも記憶されている。１９は携帯情報端末装置へＲＯＭ１８に記憶してある操作プログラムを送信したり、携帯情報端末装置より送信された指示を受信する送受信部、２０は送受信部１９で受信した指示やＣＰＵ１７で処理を行った処理結果を記憶するＲＡＭである。
【００１６】
２２は地図画像を発生し、コントラストや色調を制御するディスプレイコントローラ、２３はディスプレイコントローラが発生した地図画像を記憶するビデオＲＡＭ、２４は各種メニュー画像を発生するメニュー発生部、２５は誘導経路発生部であり、ＲＡＭ２０に記憶した誘導経路探索処理プログラムの処理結果を使用している。２６は自車位置マークやランドマーク等のマークを発生させるマーク発生部、２７は各種画像を合成して出力する画像合成部、２８は画像合成部から出力される画像を表示する表示装置であり、ディスプレイコントローラ２２により電源のオン／オフ、コントラスト等の制御が行われている。２９は経路案内時の音声等を発生させる音声発生部、３０は音声発生部により発生された音声を外部に出力するスピーカー、３１はバスである。
【００１７】
（ｂ）携帯情報端末装置（ＰＤＡ）
図４は本発明の車載機器システム中の携帯情報端末装置の構成図である。図中、４１は携帯情報端末装置に電源を供給するための電池、４２は携帯情報端末装置全体を制御するプロセッサ（ＣＰＵ）、４３は各種プログラム（ＯＳ、スケジュール管理プログラム、アドレス管理プログラム等）を記憶するＲＯＭ、４４はナビゲーション装置より送信されたナビゲーション装置を操作するための操作プログラムを受信したり、ナビゲーション装置への指示を送信する送受信部、４５は送受信部４４で受信した操作プログラムやＣＰＵ４２で処理を行った処理結果を記憶するＲＡＭである。
【００１８】
４６はＣＰＵ４２がＲＡＭ４５に記憶した操作プログラムを用いて生成したメニュー画面や色調、コントラストを制御するディスプレイコントローラ、４７はディスプレイコントローラ４６が発生した画像を記憶するビデオＲＡＭ、４８は画像合成部から出力される画像を表示したり携帯情報端末装置を操作する表示兼操作部であり、タッチパネルにより構成されている。４９はスケジュールを呼び出したり画面をスクロールする際に使用する操作部、５０はバスである。
【００１９】
（ｃ）本発明第１実施例のフローチャート
図５、図６は本発明第１実施例のフローチャートであり、ユーザーが携帯情報端末装置をナビゲーション装置に接続した場合の例である。まず、ナビゲーション装置のＣＰＵ１７（図３）は送受信部１９より携帯情報端末装置（ＰＤＡ）が接続されたか否かを判定し（ステップ１０１）、接続されていなければ特に処理は行なわない。一方、ＰＤＡが接続されたと判定した場合、ＣＰＵ１７は送受信部１９よりＰＤＡに対し起動命令を送信する（ステップ１０２）
【００２０】
次にＰＤＡのＣＰＵ４２（図４）は送受信部４４よりナビゲーション装置からの起動命令を受信したか否かを判定し（ステップ２０１）、受信していなければ特に処理は行なわない。一方、起動命令を受信したと判定した場合、ＣＰＵ４２はＰＤＡの各ブロックへ電源を投入し、ＰＤＡを起動させる（ステップ２０２）。
【００２１】
ついで、ナビゲーション装置のＣＰＵ１７は、ナビゲーション装置を操作するために必要な操作プログラムの有無の確認要求をＰＤＡへ送受信部１９より送信する（ステップ１０３）。そして、ＰＤＡのＣＰＵ４２はナビゲーション装置より操作プログラムの有無の確認要求を送受信部４４より受信したか否かを判定し（ステップ２０３）、受信していなければ特に処理は行なわない。
【００２２】
一方、操作プログラムの有無の確認要求を受信したと判定した場合、ＣＰＵ４２はＲＡＭ４５に操作プログラムが記憶されているか否かを確認する（ステップ２０４）。その結果よりＣＰＵ４２が操作プログラムの有無を判定し（ステップ２０５）、操作プログラムが記憶されていた場合、操作プログラムがある旨を送受信部４４よりナビゲーション装置に送信する（ステップ２１３）。一方、操作プログラムが記憶されていない場合は操作プログラムが無い旨を送受信部４４よりナビゲーション装置に送信する（ステップ２０６）。
【００２３】
次に、ナビゲーション装置のＣＰＵ１７は送受信部１９より受信したＰＤＡの操作プログラムの有無情報よりＰＤＡに操作プログラムが記憶されていたか否かを判定し（ステップ１０４）、ＰＤＡに操作プログラムが記憶されていたと判定した場合は特に処理は行なわない。一方、ＰＤＡに操作プログラムが記憶されていないと判定した場合、ＣＰＵ１７はＰＤＡへＯＳのバージョンを確認する要求を送受信部１９より送信する（ステップ１０５）。
【００２４】
次にＰＤＡのＣＰＵ４２は送受信部４４よりナビゲーション装置からＯＳのバージョン確認要求があったか否かを判定し（ステップ２０７）、ＯＳのバージョン確認要求があった場合、ＣＰＵ４２はＲＯＭ４３よりＯＳのバージョンを読み出す（ステップ２０８）。ついで、ＣＰＵ４２はＲＯＭ４３より読み出したＯＳのバージョンを送受信部４４よりナビゲーション装置へ送信する（ステップ２０９）。
【００２５】
次にナビゲーション装置のＣＰＵ１７は送受信部１９よりＰＤＡのＯＳのバージョンを受信する（ステップ１０６）。ついで、ＣＰＵ１７はＲＯＭ１８にＰＤＡより送信されたＯＳのバージョンに対応する操作プログラムがあるか検索し（ステップ１０７）、対応する操作プログラムの有無を判定する（ステップ１０８）。そして、ＰＤＡのＯＳに対応する操作プログラムがＲＯＭ１８にあった場合、送受信部１９よりＰＤＡのＯＳに対応する操作プログラムの送信を開始する（ステップ１０９）。
【００２６】
次に、ＣＰＵ１７は操作プログラムの送信が終了したか否かを送受信部１９より判定し（ステップ１１０）、送信が終了していなければ引き続き送信処理を行ない、送信が終了していれば一連の処理を終える。ステップ１０８において、ＰＤＡのＯＳに対応する操作プログラムがＲＯＭ１８に無い場合、ＣＰＵ１７はＰＤＡに対応する操作プログラムが無い旨をディスプレイコントローラ２２、ビデオＲＡＭ２３、画像合成部２７を介して表示装置２８へ表示する（ステップ１１１）。これにより、地図画面を確認しながらの操作が可能になる。
【００２７】
（Ｄ）本発明の第２実施例
（ａ）オーディオ装置
図７は本発明の車載機器システム中のオーディオ装置の構成図である。図中、６１はラジオ受信用のアンテナ、６２はラジオの放送信号を受信し、検波信号を出力するラジオ受信部、６３はＣＤに記録された音楽情報を読み出してＣＤ信号を出力するＣＤプレーヤ、６４はＭＤに記録された音楽情報を読み出してＭＤ信号を出力するＭＤプレーヤ、６５はマガジンに収納された複数のディスクに記録された音楽情報を読み出してＣＤ信号を出力するＣＤチェンジャーである。
【００２８】
６６はラジオ受信部６２、ＣＤプレーヤ６３、ＭＤプレーヤ６４、ＣＤチェンジャー６５からの各ソース信号の切換えを行なうソース切替部、６７はソース切替部１６からのソース信号を増幅するアンプ、６８はアンプ６７で増幅されたソース信号の音量を調節するためのボリュームコントローラ、６９はスピーカ、７０はユーザーがソース切替やボリューム調節の操作を行なう操作部、７１は現在再生している曲のトラックや、受信しているラジオ局の周波数等を表示する表示部である。
【００２９】
７２は操作部７０からの指示を受けてソース切替部７６の制御や、ボリュームコントローラ７８の制御等の処理を行なうシステムコントローラ、７３はラジオ受信部６２、ＣＤプレーヤ６３、ＭＤプレーヤ６４、ＣＤチェンジャー６５を制御するためのプログラムや携帯情報端末装置でオーディオ装置を操作するための操作プログラムや、操作プログラムを携帯情報端末装置に送信するためのプログラムが記憶されているＲＯＭ、７４は現在受信している放送局の周波数や、現在再生しているＣＤのトラック番号や経過時間等の情報を記憶するＲＡＭ、７５はＲＯＭ６３からの記憶データ読み出し、ＲＡＭ７４への情報の書き込みや読み出しを制御するメモリコントローラ、７６は操作プログラムを携帯情報端末装置に送信したり携帯情報端末装置から操作の指示を受信する送受信部である。
【００３０】
（ｂ）携帯情報端末装置（ＰＤＡ）
本発明の車載機器システム中の携帯情報端末装置の構成図は図４と同様であり、４４がオーディオ装置より送信されたオーディオ装置を操作するための操作プログラムを受信したり、オーディオ装置への指示を送信する送受信部になるだけである。
【００３１】
（ｃ）本発明第２実施例のフローチャート
図８、図９は本発明第２実施例のフローチャートでありユーザーが携帯情報端末装置をオーディオ装置に接続した場合の例である。まず、オーディオ装置のシステムコントローラ７２（図７）は送受信部７６より携帯情報端末装置（ＰＤＡ）が接続されたか否かを判定し（ステップ５０１）、接続されていなければ特に処理は行なわない。一方、ＰＤＡが接続されたと判定した場合、システムコントローラ７２は送受信部７６よりＰＤＡに対し起動命令を送信する（ステップ５０２）
【００３２】
次にＰＤＡのＣＰＵ４２（図４）は送受信部４４によりオーディオ装置からの起動命令を受信したか否かを判定し（ステップ６０１）、受信していなければ特に処理は行なわない。一方、起動命令を受信したと判定した場合、ＣＰＵ４２はＰＤＡの各ブロックへ電源を投入し、ＰＤＡを起動させる（ステップ６０２）。
【００３３】
ついで、オーディオ装置のシステムコントローラ７２は、オーディオ装置を操作するために必要な操作プログラムの有無の確認要求をＰＤＡへ送受信部７６より送信する（ステップ５０３）。そして、ＰＤＡのＣＰＵ４２はオーディオ装置による操作プログラムの有無の確認要求を送受信部４４により受信したか否かを判定し（ステップ６０３）、受信していなければ特に処理は行なわない。
【００３４】
一方、操作プログラムの有無の確認要求を受信したと判定した場合、ＣＰＵ４２はＲＡＭ４５に操作プログラムが記憶されているか否かを確認する（ステップ６０４）。その結果よりＣＰＵ４２が操作プログラムの有無を判定し（ステップ６０５）、操作プログラムが記憶されていた場合、操作プログラムがある旨を送受信部４４よりオーディオ装置に送信する（ステップ６１３）。一方、操作プログラムが記憶されていない場合は操作プログラムが無い旨を送受信部４４よりオーディオ装置に送信する（ステップ６０６）。
【００３５】
次に、オーディオ装置のシステムコントローラ７２は送受信部７６より受信したＰＤＡの操作プログラムの有無情報をよりＰＤＡに操作プログラムが記憶されていたか否かを判定し（ステップ５０４）、ＰＤＡに操作プログラムが記憶されていたと判定した場合は特に処理は行なわない。一方、ＰＤＡに操作プログラムが記憶されていないと判定した場合、システムコントローラ７２はＰＤＡへＯＳのバージョンを確認する要求を送受信部７６より送信する（ステップ５０５）。
【００３６】
次にＰＤＡのＣＰＵ４２は送受信部４４よりオーディオ装置からＯＳのバージョン確認要求があったか否かを判定し（ステップ６０７）、ＯＳのバージョン確認要求があった場合、ＣＰＵ４２はＲＯＭ４３よりＯＳのバージョンを読み出す（ステップ６０８）。ついで、ＣＰＵ４２はＲＯＭ４３より読み出したＯＳのバージョンを送受信部４４よりオーディオ装置へ送信する（ステップ６０９）。
【００３７】
次にオーディオ装置のシステムコントローラ７２は送受信部７６よりＰＤＡのＯＳのバージョンを受信する（ステップ５０６）。ついで、システムコントローラ７２はＲＯＭ７３にＰＤＡより送信されたＯＳのバージョンに対応する操作プログラムがあるか検索し（ステップ５０７）、対応する操作プログラムの有無を判定する（ステップ５０８）。そして、ＰＤＡのＯＳに対応する操作プログラムがＲＯＭ７３にあった場合、ＰＤＡのＯＳに対応する操作プログラムを送受信部７６より送信を開始する（ステップ５０９）。
【００３８】
次に、システムコントローラ７２は操作プログラムの送信が終了したか否かを送受信部７６より判定し（ステップ５１０）、送信が終了していなければ引き続き送信処理を行ない、送信が終了していれば一連の処理を終える。ステップ５０８において、ＰＤＡのＯＳに対応する操作プログラムがＲＯＭ７３に無い場合、システムコントローラ７２はＰＤＡに対応する操作プログラムが無い旨を表示部７１へ表示する（ステップ５１１）。これにより、オーディオ装置の操作を行なうのに小さなキーを用いなくとも操作が行なえる。尚、本実施例では操作をＰＤＡから行なうようにしたが、ＰＤＡ、オーディオ装置どちらから操作を行なってもよい。
【００３９】
（Ｅ）本発明の第３実施例
（ａ）ナビゲーション装置
本発明第３実施例のナビゲーション装置の構成は、本発明第１実施例のの車載機器システム中のナビゲーション装置の構成図（図３）と同様であり、説明を省略する。
【００４０】
（ｂ）本発明第３実施例のフローチャート
図１０は本発明第３実施例のフローチャートであり、既にＰＤＡにナビゲーション装置を操作するための操作プログラムが記憶されており、その操作プログラムを用いてＰＤＡよりナビゲーション装置を操作する場合のナビゲーション装置の動作フローである。まず、ＣＰＵ１７（図３）は送受信部１９よりＰＤＡが接続されたか否かを判定し（ステップ３０１）、接続されていなければ特に処理は行なわない。一方、ＰＤＡが接続されたと判定した場合、ＣＰＵ１７は送受信部１９よりＰＤＡに対し起動命令を送信する（ステップ３０２）。
【００４１】
次に、ＣＰＵ１７はＰＤＡに対する起動を命令した情報を例えばｎ＝１としてＲＡＭ２０に記憶し（ステップ３０３）、ＣＰＵ１７はナビゲーション装置の制御を通常の操作モードではなく、ＰＤＡ操作モードへ移行させる（ステップ３０４）。通常はリモコン１５からの指示により表示装置２８にメニュー画面を表示し、それを見てリモコン１５より操作を行なうが、ＰＤＡ操作モードではナビゲーション装置の表示装置２８にメニュー画面表示を行なわず、メニューから行なう操作はＰＤＡより行ない、それ以外のメニューに依存しない操作、例えば地図のスクロールや地図縮尺の変更等の操作のみをリモコンで行なうようにするモードである。
【００４２】
ついで、ＣＰＵ１７は送受信部１９を介してＰＤＡより指示を受けたか否かの判定をし（ステップ３０５）、指示を受けたと判定した場合、操作を受けつけたことを送受信部１９より操作受付信号としてＰＤＡへ送信する（ステップ３０６）。次に、ステップ３０５で受信したＰＤＡからの指示内容をＣＰＵ１７が実行する（ステップ３０７）。
【００４３】
ついで、ＣＰＵ１７はＰＤＡからの指示内容の実行が完了したか否かを判定し（ステップ３０８）、完了していた場合はステップ３０３においてＲＡＭ２０に記憶した起動命令情報であるｎの値が１であるか否かを判定する（ステップ３０９）。ｎの値が１であればステップ３０５に戻り再度ＰＤＡからの指示を待ち、１でなければＰＤＡが起動していないということなのでステップ３０１の処理に戻る。ステップ３０５において、ＰＤＡより指示を受けていないと判定した場合はＰＤＡからの指示を待つ。ステップ３０８において、ＰＤＡからの指示内容の実行が完了していない場合、指示内容の実行処理を続行する。
【００４４】
（Ｆ）本発明の第４実施例
（ａ）オーディオ装置
本発明第４実施例のオーディオ装置の構成は、本発明第２実施例の車載機器システム中のオーディオ装置の構成図（図７）と同様であり、説明を省略する。
【００４５】
（ｂ）本発明第４実施例のフローチャート
図１１は本発明第４実施例のフローチャートであり、既にＰＤＡにオーディオ装置を操作するための操作プログラムが記憶されており、その操作プログラムを用いてＰＤＡよりオーデイオ装置を操作する場合のオーディオ装置の動作フローである。まず、システムコントローラ７２（図７）は送受信部７６よりＰＤＡが接続されたか否かを判定し（ステップ７０１）、接続されていなければ特に処理は行なわない。一方、ＰＤＡが接続されたと判定した場合、システムコントローラ７２は送受信部７６よりＰＤＡに対し起動命令を送信する（ステップ７０２）。
【００４６】
次に、システムコントローラ７２はＰＤＡに対する起動を命令した情報を例えばｎ＝１としてＲＡＭ７４に記憶し（ステップ７０３）、システムコントローラ７２はオーディオ装置の制御を通常の操作モードではなく、ＰＤＡ操作モードへ移行させる（ステップ７０４）。通常は操作部７０からの指示により表示部７１に操作状態を表示し、それを見て操作を行なうが、ＰＤＡ操作モードではオーディオ装置の表示部７１に操作状態の表示を行なわず、操作部７０から行なう操作はＰＤＡより行なうようにするモードである。
【００４７】
ついで、システムコントローラ７２は送受信部７６を介してＰＤＡより指示を受けたか否かの判定をし（ステップ７０５）、指示を受けたと判定した場合、操作を受けつけたことを送受信部７６より操作受付信号としてＰＤＡへ送信する（ステップ７０６）。次に、ステップ７０５で受信したＰＤＡからの指示内容をシステムコントローラ７２が実行する（ステップ７０７）。
【００４８】
ついで、システムコントローラ７２はＰＤＡからの指示内容の実行が完了したか否かを判定し（ステップ７０８）、完了していた場合はステップ７０３においてＲＡＭ７４に記憶した起動命令情報であるｎの値が１であるか否かを判定する（ステップ７０９）。ｎの値が１であればステップ７０５に戻り再度ＰＤＡからの指示を待ち、１でなければＰＤＡが起動していないということなのでステップ７０１の処理に戻る。ステップ７０５において、ＰＤＡより指示を受けていないと判定した場合はＰＤＡからの指示を待つ。ステップ７０８において、ＰＤＡからの指示内容の実行が完了していない場合、指示内容の実行処理を続行する。尚、本実施例では操作をＰＤＡから行なうようにしたが、ＰＤＡ、オーディオ装置どちらから操作を行なってもよい。
【００４９】
（Ｇ）本発明の第５実施例
（ａ）携帯情報端末装置（ＰＤＡ）
本発明第５実施例の携帯情報端末装置の構成は、本発明第１実施例の車載機器システム中の携帯情報端末装置の構成図（図４）と同様であり、説明を省略する。
【００５０】
（ｂ）本発明第５実施例のフローチャート
図１２は本発明第５実施例のフローチャートであり、既にＰＤＡにナビゲーション装置を操作するための操作プログラムが記憶されており、その操作プログラムを用いてＰＤＡよりナビゲーション装置を操作する場合のＰＤＡの動作フローである。まず、ＣＰＵ４２（図４）は送受信部４４よりナビゲーション装置からの起動命令を受信したか否かを判定し（ステップ４０１）、受信していなければ特に処理は行なわない。一方、起動命令を受信したと判定した場合、ＣＰＵ４２はＰＤＡの各ブロックへ電源を投入し、ＰＤＡを起動させ、ＲＡＭ４５より操作プログラムを起動する（ステップ４０２）。
【００５１】
次に、ＣＰＵ４２はＰＤＡがナビゲーション装置の指示により起動した情報として例えばｐ＝１としてＲＡＭ４５に記憶し（ステップ４０３）、ＣＰＵ４２はＲＡＭ４５中の操作プログラムを用いてメニュー画面をディスプレイコントローラ４６、ビデオＲＡＭ４７を介して表示兼操作部であるタッチパネル４８上に図１（ａ）のように表示する（ステップ４０４）。
【００５２】
ついで、ＣＰＵ４２は表示兼操作部４８より操作の指示があったか否かを判定し（ステップ４０５）、指示があった場合、ＣＰＵ４２は操作プログラムを用いて次の操作が必要か否かを判定し（ステップ４０６）、更に操作が必要な場合、例えば目的地設定する際に図１（ａ）で「行き先を決める」を選択したような場合には「行き先を決める」を選択しただけでは目的地設定はできないので更に操作が必要となるような場合、ステップ４０５で受けた操作指示に対応する項目をＣＰＵ４２がＲＡＭ４５中の操作プログラムを用いてディスプレイコントローラ４６、ビデオＲＡＭ４７を介して表示兼操作部であるタッチパネル４８上に表示する（ステップ４０７）。
【００５３】
次に、ＣＰＵ４２は操作が終了したか否かを判定し（ステップ４０８）、終了した場合、指示された操作の内容を送受信部４４を介してナビゲーション装置に送信する（ステップ４０９）。ついで、ＣＰＵ４２はナビゲーション装置より操作受付信号を送受信部４４を介して受信したか否かを判定し（ステップ４１０）、受信した場合はステップ４０３においてＲＡＭ４５に記憶した起動命令情報であるｎの値が１であるか否かを判定する（ステップ４１１）。そして、ｐの値が１であればステップ４０４に戻り再度メニュー画面をディスプレイコントローラ４６、ビデオＲＡＭ４７を介して表示兼操作部であるタッチパネル４８上に表示する処理を行なう。一方、ｐ＝１でない場合はナビゲーション装置より送信される操作受付信号を待つ。
【００５４】
ステップ４０５において、表示兼操作部４８より操作の指示がない場合は操作の指示があるまでそのままの状態を維持する。ステップ４０６において、次の操作が必要ではないと判定した場合はステップ４０９の処理を行なう。ステップ４０８において、操作が終了していないと判定した場合はステップ４０６の処理を行なう。
【００５５】
（Ｈ）本発明の第６実施例
（ａ）携帯情報端末装置（ＰＤＡ）
本発明第６実施例の携帯情報端末装置の構成は、本発明第２実施例の車載機器システム中の携帯情報端末装置の構成図（図４）と同様であり、説明を省略する。
【００５６】
図１３は本発明第６実施例のフローチャートであり、既にＰＤＡにオーディオ装置を操作するための操作プログラムが記憶されており、その操作プログラムを用いてＰＤＡよりオーディオ装置を操作する場合のＰＤＡの動作フローである。まず、ＣＰＵ４２（図４）は送受信部４４よりオーディオ装置からの起動命令を受信したか否かを判定し（ステップ８０１）、受信していなければ特に処理は行なわない。一方、起動命令を受信したと判定した場合、ＣＰＵ４２はＰＤＡの各ブロックへ電源を投入し、ＰＤＡを起動させ、ＲＡＭ４５より操作プログラムを起動する（ステップ８０２）。
【００５７】
次に、ＣＰＵ４２はＰＤＡがオーディオ装置の指示により起動した情報として例えばｐ＝１としてＲＡＭ４５に記憶し（ステップ８０３）、ＣＰＵ４２はＲＡＭ４５中の操作プログラムを用いてメニュー画面をディスプレイコントローラ４６、ビデオＲＡＭ４７を介して表示兼操作部であるタッチパネル４８上に図２（ｂ）のように表示する（ステップ８０４）。
【００５８】
ついで、ＣＰＵ４２は表示兼操作部４８より操作の指示があったか否かを判定し（ステップ８０５）、指示があった場合、ＣＰＵ４２は操作プログラムを用いて次の操作が必要か否かを判定し（ステップ８０６）、更に操作が必要な場合、ステップ８０５で受けた操作指示に対応する項目をＣＰＵ４２がＲＡＭ４５中の操作プログラムを用いてディスプレイコントローラ４６、ビデオＲＡＭ４７を介して表示兼操作部であるタッチパネル４８上に表示する（ステップ８０７）。
【００５９】
次に、ＣＰＵ４２は操作が終了したか否かを判定し（ステップ８０８）、終了した場合、指示された操作の内容を送受信部４４を介してオーディオ装置に送信する（ステップ８０９）。ついで、ＣＰＵ４２はオーディオ装置より操作受付信号を送受信部４４を介して受信したか否かを判定し（ステップ８１０）、受信した場合はステップ８０３においてＲＡＭ４５に記憶した起動命令情報であるｎの値が１であるか否かを判定する（ステップ８１１）。そして、ｐの値が１であればステップ８０４に戻り再度メニュー画面をディスプレイコントローラ４６、ビデオＲＡＭ４７を介して表示兼操作部であるタッチパネル４８上に表示する処理を行なう。一方、ｐ＝１でない場合はオーディオ装置より送信される操作受付信号を待つ。
【００６０】
ステップ８０５において、表示兼操作部４８より操作の指示がない場合は操作の指示があるまでそのままの状態を維持する。ステップ８０６において、次の操作が必要ではないと判定した場合はステップ８０９の処理を行なう。ステップ８０８において、操作が終了していないと判定した場合はステップ８０６の処理を行なう。尚、本実施例では操作をＰＤＡから行なうようにしたが、ＰＤＡ、オーディオ装置どちらから操作を行なってもよい。
【００６１】
【発明の効果】
以上、本発明によれば、携帯情報端末装置を用いて車載機器を制御するためのプログラムを記憶する車載機器側に記憶しておき、携帯情報端末装置が接続されると、車載機器側でプログラムを読み出し、読み出したプログラムを携帯情報端末装置へ送信し、送信されたプログラムを携帯情報端末装置が受信し、受信したプログラムを携帯情報端末装置側で記憶し、記憶したプログラムを用いて車載機器を制御するので操作性が良い車載機器システム等が提供できる。
【図面の簡単な説明】
【図１】本発明の第１の概略説明図である。
【図２】本発明の第２の概略説明図である。
【図３】本発明の車載機器システム中のナビゲーション装置の構成図である。
【図４】本発明の車載機器システム中の携帯情報端末装置の構成図である。
【図５】本発明第１実施例のフローチャートである。
【図６】本発明第１実施例のフローチャートである。
【図７】本発明第２実施例の車載機器システム中のオーディオ装置の構成図である。
【図８】本発明第２実施例のフローチャートである。
【図９】本発明第２実施例のフローチャートである。
【図１０】本発明第３実施例のナビゲーション装置の動作フローチャートである。
【図１１】本発明第４実施例のオーディオ装置の動作フローチャートである。
【図１２】本発明第５実施例の携帯情報端末装置の動作フローチャートである。
【図１３】本発明第６実施例の携帯情報端末装置の動作フローチャートである。
【図１４】従来のナビゲーション装置の操作例を示す図である。
【図１５】従来のオーディオ装置の操作例を示す図である。
【符号の説明】
２８・・ナビゲーション装置の表示装置
ＮＳＣ・・表示装置２８の表示画面
ＰＤＡ・・携帯情報端末装置
ＰＳＣ・・携帯情報端末装置の表示画面でありタッチパネル
【図１】
2004077324.tif 000003
【図２】
2004077324.tif 000004
【図３】
2004077324.tif 000005
【図４】
2004077324.tif 000006
【図５】
2004077324.tif 000007
【図６】
2004077324.tif 000008
【図７】
2004077324.tif 000009
【図８】
2004077324.tif 000010
【図９】
2004077324.tif 000011
【図１０】
2004077324.tif 000012
【図１１】
2004077324.tif 000013
【図１２】
2004077324.tif 000014
【図１３】
2004077324.tif 000015
【図１４】
2004077324.tif 000016
【図１５】
2004077324.tif 000017